(57)【要約】      （修正有）【課題】マッサージ椅子やベッド或いはパッドのコストが低いことと構造及び組み立てが簡単である揉み捩じマッサージの構造を提供する。【解決手段】主わく組１０の両側に、一列の噛合い辺１１が設けられ、主わく組１０の上に、更に、連動されて往復に作動する結合ベース３０が設けられ、また、結合ベース３０の上に、更に、結合ベース３０の移動に合わせて同時に回転する駆動輪４０が設置され、スウィング座５０が、駆動輪４０の外周にあるスウィング支点４１により回転され、そして、固定支点３２において、スウィング軸支穴５２と調整槽５３とにより扇形状にスウィングし、また、同時に順に上下において作動し、そのため、低いコストである構造設計により、回転とスウィングによる揉み捩じの効果が得られるため、組み立てが簡単で、構造が簡素である利点が得られる。【選択図】図１
0003122525.tif 000002
【実用新案登録請求の範囲】
【請求項１】
主わく組に駆動軸が設置され、当該駆動軸により結合ベースが連動され、そして、結合ベースの両側において、それぞれ、駆動輪によりスウィング座が連動される揉み捩じマッサージの構造であって、
主わく組の両側の内側に、一列の噛合い辺があり、当該駆動軸が、主わく組の中央に設置されて、二つの噛合い辺の間に位置し、また、モータによって回転され、結合ベースが駆動軸の上に設置され、駆動軸の回転に従って、上下に移動され、結合ベースの両側に、それぞれ、軸支座が設置され、軸支座の一側に、更に固定支点が設けられ、また、駆動輪の上方に、円心から離れる位置にスウィング支点が設けられ、下方に、噛合い歯部が設けられ、底部の結合槽が、結合ベースの軸支座を設置するためのものであり、スウィング座の上方に、スウィング可能のスウィングわく組が設けられ、下方にある位置に、スウィング軸支穴が形成され、そして、異なる位置に、調整槽が設けられ、
構造として、当該駆動輪が、結合槽の中において、結合ベースの軸支座の上に設置され、これにより、当該駆動輪が、軸支座の上において、回転でき、当該駆動輪が結合されると、その上の噛合い歯部が、主わく組の噛合い辺と互いに噛合い、スウィング座が、結合ベースの上に結合され、当該結合とともに、スウィング軸支穴とスウィング支点とが対応して設置され、調整槽と固定支点とが対応して設置される、
ことを特徴とする揉み捩じマッサージの構造。
【請求項２】
当該噛合い辺は、ジグザグ辺やチェン或いは歯状ベルトであることを特徴とする請求項１に記載の揉み捩じマッサージの構造。
【請求項３】
当該駆動軸は、螺子軸やチェン或いは歯状ベルトであることを特徴とする請求項１に記載の揉み捩じマッサージの構造。
【請求項４】
当該スウィング軸支穴とスウィング支点とが対応して設置されて、調整槽と固定支点とが対応して設置された後、当該固定支点とスウィング支点とは、外端部からナットによりロックされることを特徴とする請求項１に記載の揉み捩じマッサージの構造。
【考案の詳細な説明】
【技術分野】
【０００１】
本考案は、揉み捩じマッサージの構造に関し、特に、左右に偏心扇形状に揉み捩じをする揉み捩じのマッサージ装置に応用され、一つだけの伝達軸により、マッサージ装置が往復に移動するとともに揉み捩じのマッサージ動作が実現されるものに関する。
【背景技術】
【０００２】
マッサージ椅子やベッド及びパッドは、ユーザーが座ったり、横たわったりすると、背中について、上下にロールして押えて、左右に揉むように、マッサージをする機器であり、このような揉み捩じマッサージであれば、アームや腰及び肩等の接触した筋肉に対して揉み捩じを行って、筋肉や心身の圧力を解消する効果が得られる。
【０００３】
既存の一般の左右に偏心扇形状に揉み捩じをするマッサージ装置は、揉み捩じを行うリンク機構を駆動する動力と、フレームで上下に移動する動力とが、それぞれ、独自に設置され、その椅子のフレームに、螺子軸やチェンが設けられ、モータによりマッサージ装置が螺子軸の上で移動され、マッサージ装置の一側にも、モータが設けられ、当該モータにより、リンク機構が駆動され、また、マッサージ装置は、自身構造が非常に複雑で、二つの扇形状を形成するような揉み捩じ構造は、偏心スウィングを行うだけでなく、適当に位置付けられ、偏心レバーにより、扇形状揉み捩じ構造が揉み捩じを行い、そのため、偏心レバーは、同期に駆動しなければならないし、複雑であるギアの伝達構造を持たなければならないため、コストが高く着き、生産と組み立てが困難であり、また、構造が大きくなり、そのため、上記の従来のマッサージ装置について、伝達構造や來源を改善でき、そして、コストダウンと小型化ができるものが、要求される。
【考案の開示】
【考案が解決しようとする課題】
【０００４】
本考案の目的は、低いコストである構造設計により、回転とスウィングによる揉み捩じの効果が得られるため、組み立てが簡単で、構造が簡素である利点が得られる揉み捩じマッサージの構造を提供する。
【０００５】
主わく組の両側の内側に、一列の噛合い辺があり、主わく組に、更に、連動されて往復に移動する結合ベースが設けられ、結合ベースの上に、更に、結合ベースの移動に合わせて、連動されて回転される駆動輪が設置され、そして、スウィング座が、駆動輪の外周にあるスウィング支点により回転され、固定支点において、スウィング軸支穴と調整槽とにより扇形状にスウィングし、また、順に上下において作動する。
【課題を解決するための手段】
【０００６】
請求項１の考案は、主わく組に駆動軸が設置され、当該駆動軸により結合ベースが連動され、そして、結合ベースの両側において、それぞれ、駆動輪によりスウィング座が連動される揉み捩じマッサージの構造であって、主わく組の両側の内側に、一列の噛合い辺があり、当該駆動軸が、主わく組の中央に設置されて、二つの噛合い辺の間に位置し、また、モータによって回転され、結合ベースが駆動軸の上に設置され、駆動軸の回転に従って、上下に移動され、結合ベースの両側に、それぞれ、軸支座が設置され、軸支座の一側に、更に固定支点が設けられ、また、駆動輪の上方に、円心から離れる位置にスウィング支点が設けられ、下方に、噛合い歯部が設けられ、底部の結合槽が、結合ベースの軸支座を設置するためのものであり、スウィング座の上方に、スウィング可能のスウィングわく組が設けられ、下方にある位置に、スウィング軸支穴が形成され、そして、異なる位置に、調整槽が設けられ、構造として、当該駆動輪が、結合槽の中において、結合ベースの軸支座の上に設置され、これにより、当該駆動輪が、軸支座の上において、回転でき、当該駆動輪が結合されると、その上の噛合い歯部が、主わく組の噛合い辺と互いに噛合い、スウィング座が、結合ベースの上に結合され、当該結合とともに、スウィング軸支穴とスウィング支点とが対応して設置され、調整槽と固定支点とが対応して設置される、ことを特徴とする揉み捩じマッサージの構造である。
【０００７】
請求項２の考案は、当該噛合い辺が、ジグザグ辺やチェン或いは歯状ベルトであることを特徴とする請求項１に記載の揉み捩じマッサージの構造である。
【０００８】
請求項３の考案は、当該駆動軸が、螺子軸やチェン或いは歯状ベルトであることを特徴とする請求項１に記載の揉み捩じマッサージの構造である。
【０００９】
請求項４の考案は、当該スウィング軸支穴とスウィング支点とが対応して設置されて、調整槽と固定支点とが対応して設置された後、当該固定支点とスウィング支点とが、外端部からナットによりロックされることを特徴とする請求項１に記載の揉み捩じマッサージの構造である。
【考案を実施するための最良の形態】
【００１０】
図１乃至３を参照しながら、主わく組１０の中に駆動軸２０が設置され、駆動軸２０により結合ベース３０が連動され、結合ベース３０の両側において、更に、それぞれ、駆動輪４０により、スウィング座５０が連動され、また、主わく組１０の両側の内側に、一列の噛合い辺１１があり、当該噛合い辺１１は、ジグザグ辺やチェン或いは歯状ベルトであり、駆動軸２０は、主わく組１０の中央に設置され、二つの噛合い辺１１の間に位置し、また、モータによって、回転され、結合ベース３０は、駆動軸２０の上に設置され、駆動軸２０の回転に従って、上下に移動され、結合ベース３０の両側に、それぞれ、軸支座３１が設置され、軸支座３１の一側に、更に固定支点３２が設けられ、また、駆動輪４０の上方に、円心から離れる位置にスウィング支点４１が設けられ、下方に、噛合い歯部４２が設けられ、底部の結合槽４３は、結合ベース３０の軸支座３１を設置するためのものであり、スウィング座５０の上方に、スウィング可能のスウィングわく組５１が設けられ、スウィングわく組５１の上に、揉み捩じ輪が設けられ、下方にある位置に、スウィング軸支穴５２が形成され、そして、異なる位置に、調整槽５３が設けられる。
【００１１】
構造として、当該駆動輪４０が、結合槽４３の中において、結合ベース３０の軸支座３１の上に設置され、これにより、当該駆動輪４０が、軸支座３１の上において、回転でき、当該駆動輪４０が結合されると、その上の噛合い歯部４２が、主わく組１０の噛合い辺１１と互いに噛合い、当該スウィング座５０が、駆動輪４０とともに、結合ベース３０の上に結合され、当該結合とともに、スウィング軸支穴５２とスウィング支点４１とが対応して設置され、調整槽５３と固定支点３２とが対応して設置されえ、また、固定支点３２とスウィング支点４１とは、外端部において、ナットでロックされることにより、スウィング座５０のスウィング軸支穴５２と調整槽５３とから脱出されることを防止する。
【００１２】
使用する時の作動は、図５、６のように、駆動軸２０の駆動により、結合ベース３０が主わく組１０の上で往復に移動し、また、結合ベース３０の上に結合される駆動輪４０が、主わく組１０の噛合い辺１１に連動する噛合い歯部４２により、回転され、駆動輪４０が回転する時、スウィング座５０が、スウィング軸支穴５２によりスウィング支点４１に結合されるため、同時に回転するように移動し、また、調整槽５３が、固定支点３２により結合ベース３０に固定されるため、回転しないが、調整槽５３が細長状である特性により、固定支点３２において摺動し、当該スウィング座５０において、一側で回転するように移動し、もう一側で摺動するように移動し、これにより、スウィング座５０が、扇形状のスウィングを行い、また、順に上下において作動し、そのため、当該作動の組合せにより、スウィングわく組５１のスウィングで、揉み捩じ輪がユーザーの背中に対してマッサージの揉み捩じ動作を行う。
【００１３】
上記の具体な実施例の構造によれば、下記の効果が得られる。主わく組１０の両側に、一列の噛合い辺１１が設けられ、主わく組１０の上に、更に、連動されて往復に作動する結合ベース３０が設けられ、また、結合ベース３０の上に、更に、結合ベース３０の移動に合わせて同時に回転する駆動輪４０が設置され、スウィング座５０が、駆動輪４０の外周にあるスウィング支点４１により回転され、そして、固定支点３２において、スウィング軸支穴５２と調整槽５３とにより扇形状にスウィングし、また、同時に順に上下において作動し、そのため、低いコストである構造設計により、回転とスウィングによる揉み捩じの効果が得られるため、組み立てが簡単で、構造が簡素である利点が得られる。
【図面の簡単な説明】
【００１４】
【図１】本考案の立体組合せ図
【図２】本考案の立体組合せの局部拡大図
【図３】本考案の立体分解図
【図４】本考案の駆動輪の他の角度の立体拡大図
【図５】本考案の駆動輪が噛合い辺に合わせて作動する時の概念図
【図６】本考案のスウィング座が駆動輪と結合ベースとによって制御される時の動作概念図
【符号の説明】
【００１５】
１０                 主わく組
１１                 噛合い辺
２０                 駆動軸
３０                 結合ベース
３１                 軸支座
３２                 固定支点
４０                 駆動輪
４１                 スウィング支点
４２                 噛合い歯部
４３                 結合槽
５０                 スウィング座
５１                 スウィングわく組
５２                 スウィング軸支穴
５３                 調整槽
【図１】
0003122525.tif 000003
【図２】
0003122525.tif 000004
【図３】
0003122525.tif 000005
【図４】
0003122525.tif 000006
【図５】
0003122525.tif 000007
【図６】
0003122525.tif 000008